(57)【要約】【課題】チャイルドロック機能の解除操作方法が分かりやすいリモコンを提供することを目的とする。【解決手段】本実施例のリモコン１によれば、チャイルドロック機能がＯＮしている間は、表示画面３にチャイルドロック機能の解除操作方法が表示されるため、使用者が解除操作方法が分からなくなってしまうことはなく、使い勝手が良い。しかも、その表示画面は、給湯温度や現在時刻を通常表示している表示画面と兼用しているため、製造コストを抑制することができる。さらに、チャイルドロック機能の解除操作方法を表示する解除ナビ画面と給湯温度や現在時刻等を表示する通常の基本画面とが所定の間隔で交互に切り替わるため、チャイルドロック機能がＯＮ中であっても、風呂追焚機能付給湯器の動作状態や操作部の操作状況等を確認でき、使い勝手が良い。【選択図】図５
2005061794.tif 000002
【特許請求の範囲】
【請求項１】
温水機器の運転動作の各種設定を行う複数の操作スイッチを備えた操作部と、
温水機器の動作状態や上記操作部の操作状況等の各種情報を表示する表示部と、
上記操作部による各種設定の入力を無効にするロック手段と、
上記操作スイッチにて特定の操作を行うことにより上記ロック手段の動作を解除する解除手段と
を備えた温水機器のリモコンにおいて、
上記ロック手段が動作中には、上記表示部に上記ロック手段の解除操作方法を表示することを特徴とする温水機器のリモコン。
【請求項２】
上記ロック手段が動作中には、上記ロック手段の解除操作方法を表示する解除方法表示と、温水機器の動作状態や上記操作部の操作状況等を表示する基本表示とを所定の間隔で交互に行うことを特徴とする請求項１記載の温水機器のリモコン。
【発明の詳細な説明】
【技術分野】
【０００１】
本発明は、チャイルドロック機能を備えた温水機器のリモコンに関する。
【背景技術】
【０００２】
従来から、給湯器等の温水機器は、浴室、台所等の壁面に設置されるリモコンから遠隔操作される。
そして、このようなリモコンには、小さな子供などが操作スイッチをいたずらして押しても各種設定が変わらないようにして、急に熱湯がでる等の危険を防止するチャイルドロック機能を有するものが知られている（例えば、特許文献１参照）。
このようなチャイルドロック機能は、一般的に、複数の操作スイッチを同時に押し操作することによりＯＮ／ＯＦＦが切り替えられる。このため、チャイルドロック機能がＯＮしている際に、小さな子供がリモコンを適当に操作しても所定の複数の操作スイッチを同時に操作してチャイルドロック機能を解除してしまう可能性は低く安全であった。
【特許文献１】特開平８−４７０６６号公報
【発明の開示】
【発明が解決しようとする課題】
【０００３】
しかしながら、チャイルドロックをセットした大人がその解除操作方法を忘れてしまうことがあり、こうした場合には、いちいち取扱説明書で確認せねばならず煩わしかった。
また、チャイルドロックをセットした本人以外の場合には、尚更、解除操作方法は分かりづらいものであった。
本発明は上記課題を解決し、チャイルドロック機能の解除操作方法が分かりやすいリモコンを提供することを目的とする。
【課題を解決するための手段】
【０００４】
上記課題を解決する本発明の請求項１記載の温水機器のリモコンは、
温水機器の運転動作の各種設定を行う複数の操作スイッチを備えた操作部と、
温水機器の動作状態や上記操作部の操作状況等の各種情報を表示する表示部と、
上記操作部による各種設定の入力を無効にするロック手段と、
上記操作スイッチにて特定の操作を行うことにより上記ロック手段の動作を解除する解除手段と
を備えた温水機器のリモコンにおいて、
上記ロック手段が動作中には、上記表示部に上記ロック手段の解除操作方法を表示することを要旨とする。
【０００５】
また、本発明の請求項２記載の温水機器のリモコンは、上記請求項２記載の温水機器のリモコンにおいて、
上記ロック手段が動作中には、上記ロック手段の解除操作方法を表示する解除方法表示と、温水機器の動作状態や上記操作部の操作状況等を表示する基本表示とを所定の間隔で交互に行うことを要旨とする。
【発明の効果】
【０００６】
上記構成を有する本発明の請求項１記載の温水機器のリモコンは、ロック手段が動作すると、操作部による温水機器の運転動作の各種設定の入力を無効にするため、子供のいたずらなどによる設定の変更を防止でき安全に使用できる。そして、ロック手段の動作中には、表示部にロック手段の解除操作方法が表示されるため、使用者が解除操作方法が分からなくなってしまうことはなく、使い勝手が良い。しかも、その表示部は、温水機器の動作状態や操作部の操作状況等の各種情報を表示する表示部と兼用しているため、製造コストを抑制することができる。
【０００７】
また、本発明の請求項２記載の温水機器のリモコンは、ロック手段の解除操作方法を表示する解除方法表示が、温水機器の動作状態や操作部の操作状況等を表示する基本表示と所定の間隔で交互に行われる。このため、ロック手段が動作中であっても、温水機器の動作状態や操作部の操作状況等を確認でき、使い勝手が良い。
【発明を実施するための最良の形態】
【０００８】
チャイルドロック機能の解除操作方法を分かりやすくするという目的を、チャイルドロック機能の本来の目的である安全性を犠牲にすることなく実現した。
【実施例１】
【０００９】
以上説明した本発明の構成・作用を一層明らかにするために、以下本発明のリモコンの好適な実施例について説明する。
図１は、本発明の実施例１としてのリモコンの外観図である。
リモコン１は、風呂追焚機能付給湯器（図示略）を遠隔操作するためのリモコンであって、浴室の壁面に設置される。
【００１０】
リモコン１は、操作部２および表示画面３を備えている。
操作部２は、給湯等の基本操作を行う基本操作部４と、時刻設定等の付加機能の操作を行う付加機能操作部５とに大別される。
基本操作部４は、給湯運転の入／切の切替を行う給湯スイッチ６と、浴槽への自動湯張りを行う風呂自動スイッチ７と、浴槽内の温水の追焚を行うあつめスイッチ８と、台所に設置される別のリモコンと通話を行うための通話スイッチ９とを備える。
付加機能操作部５には、各種の付加機能項目を選択する選択スイッチ１０と、給湯温度や各種の設定を変更するためのダウンスイッチ１１、アップスイッチ１２と、各種の設定を確定するための確定スイッチ１３とを備える。
また、ダウンスイッチ１１とアップスイッチ１２とは、チャイルドロック機能をＯＮ／ＯＦＦ切替するスイッチとしての機能も備え、ダウンスイッチ１１とアップスイッチ１２とを同時に２秒以上押し続けるとチャイルドロック機能がＯＮし、もう一度、２秒以上同時に押し続けるとチャイルドロック機能が解除されるように構成される。
【００１１】
表示画面３は、ドットマトリックス表示画面１４と、表示内容が固定されている固定表示画面１５とを備える。
ドットマトリックス表示画面１４は、縦４０ｄｏｔ×横１２８ｄｏｔの液晶ドットマトリックスにより構成される。
固定表示画面１５は、あらかじめ固定された内容の情報（燃焼中、暖房中など）を点灯／消灯で表示するように構成される。
【００１２】
また、リモコン１は、内部に主要部をマイコンにより構成されリモコン１の各種制御を司るコントローラ１６を備える。
図２に、リモコン１のブロック図を示す。
コントローラ１６は、操作部２や表示画面３及び、風呂追焚機能付給湯器本体に設けられるメインコントローラ１７との間で信号をやりとりするための通信回路１８と接続される。
【００１３】
次に、本実施例のリモコン１の動作について図３，図４のフローチャートを用いて説明する。
チャイルドロック機能がＯＦＦしている状態で、ダウンスイッチ１１とアップスイッチ１２とが同時に２秒以上押される（Ｓ１：ＹＥＳ、Ｓ２：ＹＥＳ）と、チャイルドロック機能がＯＮし（Ｓ３）、それ以降の操作部２からの入力操作が無効にされる。但し、チャイルドロック機能を解除するための入力（ダウンスイッチ１１とアップスイッチ１２の同時押し操作）は、受け付けられる。
【００１４】
そして、このチャイルドロック機能がＯＮしている間は、図５に示すように、表示画面３の表示形態が、給湯温度や現在時刻等を表示する通常の基本画面と、チャイルドロック機能を解除するためのスイッチ操作を表示する解除ナビ画面とを交互に繰り返す。
この際の動作について図４のフローチャートを用いて説明する。
まず、チャイルドロック機能がＯＮすると、すぐに、解除ナビ画面が表示される（Ｓ７）。このため、チャイルドロック機能がＯＮされたことが使用者にすぐにはっきりと分かる。そして、５秒経過する（Ｓ８：ＹＥＳ）と、基本画面に切り替わり（Ｓ９）、さらに５秒経過する（Ｓ１０：ＹＥＳ）と、解除ナビ画面に戻る（Ｓ７）。以下、同様な表示制御がチャイルドロック機能が解除されるまで継続して行われる。
【００１５】
そして、チャイルドロック機能がＯＮしている時に、解除操作（ダウンスイッチ１１とアップスイッチ１２の２秒以上の同時押し操作）が行われる（Ｓ４：ＹＥＳ、Ｓ５：ＹＥＳ）と、チャイルドロック機能が解除され、操作部２からの入力が受け付けられるようになるとともに、表示画面３の表示形態が基本表示のみの表示形態に切り替わる（Ｓ６）。
【００１６】
以上説明したリモコン１によれば、チャイルドロック機能がＯＮしている間は、表示画面３にチャイルドロック機能の解除操作方法が表示されるため、使用者が解除操作方法が分からなくなってしまうことはなく、使い勝手が良い。しかも、その表示画面は、給湯温度や現在時刻を通常表示している表示画面と兼用しているため、製造コストを抑制することができる。
さらに、チャイルドロック機能の解除操作方法を表示する解除ナビ画面と給湯温度や現在時刻等を表示する通常の基本画面とが所定の間隔で交互に切り替わるため、チャイルドロック機能がＯＮ中であっても、風呂追焚機能付給湯器の動作状態や操作部の操作状況等を確認でき、使い勝手が良い。しかも、解除ナビ画面と基本画面とを交互に表示させることにより、一つの画面に同時に二つの情報を表示させた場合と比べて、一つ一つの情報を大きく表示させることができ、見やすく使いやすい。
【００１７】
また、チャイルドロック機能のＯＮ／ＯＦＦ操作が同じ操作であるから、特殊操作をいくつも行う必要がなく操作しやすい。しかも、ダウンスイッチ１１とアップスイッチ１２という隣り合ったスイッチを使うので分かりやすい。
また、２秒以上押し続ける必要があるため、子供等が誤ってスイッチに触ってしまっても、チャイルドロックをふいにＯＮ／ＯＦＦする可能性は低く安全である。
【００１８】
以上本発明の実施例について説明したが、本発明はこうした実施例に何等限定されるものではなく、本発明の要旨を逸脱しない範囲において、種々なる態様で実施し得ることは勿論である。
例えば、本実施例では、チャイルドロックの解除操作方法をダウンスイッチ１１とアップスイッチ１２との２秒以上の同時押し操作としているが、これに限ったものではなく、複数のスイッチを特定の順番で押すことにより解除されるようにしても良いし、一つの特定のスイッチを長時間（例えば、５秒以上）押し続けることにより解除されるようにしてもよい。つまり、通常時には、操作されないようなスイッチ操作によって解除されるようにすればよい。
【００１９】
また、本実施例では、ダウンスイッチ１１とアップスイッチ１２とを同時押しすることによってチャイルドロック機能がＯＮするようにしているが、これに限ったものではなく、例えば、選択スイッチ１０を押して選択する付加機能項目の中にチャイルドロック機能も入れておき、選択スイッチ１０でチャイルドロック機能を選択した後に、確定スイッチ１３を押すことによってチャイルドロック機能がＯＮするようにしてもよい。
また、本実施例では、解除ナビ画面と基本画面とを交互に表示するようにしているが、同時に二つの情報を表示するようにしてもよい。
【産業上の利用可能性】
【００２０】
浴室に設置されるいわゆる風呂リモコンや台所等に設置されるいわゆる給湯リモコン、さらには床暖房ユニット等に温水を循環供給する温水暖房機能付給湯器のリモコンに適用可能である。
【図面の簡単な説明】
【００２１】
【図１】本実施例としてのリモコンの外観図である。
【図２】本実施例としてのリモコンのブロック図である。
【図３】本実施例としてのリモコンの動作を示すフローチャートである。
【図４】本実施例としてのリモコンの動作を示すフローチャートである。
【図５】表示画面の表示形態の変化を示す説明図である。
【符号の説明】
【００２２】
１  リモコン
２  操作部
３  表示画面
１１  ダウンスイッチ
１２  アップスイッチ
１６  コントローラ
【図１】
2005061794.tif 000003
【図２】
2005061794.tif 000004
【図３】
2005061794.tif 000005
【図４】
2005061794.tif 000006
【図５】
2005061794.tif 000007